(57)【特許請求の範囲】
【請求項１】
二つの圧力容器のそれぞれに一缶ずつ収容された計二缶の加圧流動床ボイラーと、当該二缶の加圧流動床ボイラーのそれぞれに対応した計二基のガスタービン及びコンプレッサーと、高圧蒸気タービン及び中圧蒸気タービンを有する一基の再熱式蒸気タービンとを備えるモジュール方式加圧流動床複合発電装置において、
過熱器及び蒸発器を有する一缶の過熱器主体のボイラーと、
再熱器及び蒸発器を有する一缶の再熱器主体のボイラーと、
当該過熱器主体のボイラー及び再熱器主体のボイラーのそれぞれの前記蒸発器と過熱器主体のボイラーの前記過熱器とを連通する蒸気系と、
前記過熱器からの主蒸気を前記高圧蒸気タービンに供給させる一系統の主蒸気系と、
当該高圧蒸気タービンからの低温再熱蒸気を再熱器主体のボイラーの前記再熱器に送るための一系統の低温再熱蒸気系と、
前記再熱器からの高温再熱蒸気を前記中圧蒸気タービンに供給させる一系統の高温再熱蒸気系とを有することを特徴とするモジュール連合方式加圧流動床複合発電装置。
【請求項２】
二つの圧力容器のそれぞれに一缶ずつ収容された計二缶の加圧流動床ボイラーと、当該二缶の加圧流動床ボイラーのそれぞれに対応した計二基のガスタービン及びコンプレッサーと、高圧蒸気タービン及び中圧蒸気タービンを有する一基の再熱式蒸気タービンとを用いて発電を行う、モジュール方式加圧流動床複合発電装置の制御方法において、
前記二缶の加圧流動床ボイラーのうち、一缶は過熱器及び蒸発器を有する過熱器主体のボイラーとし、別の一缶は再熱器及び蒸発器を有する再熱器主体のボイラーとして、
当該過熱器主体のボイラー及び再熱器主体のボイラーのそれぞれの前記蒸発器で発生した蒸気を、過熱器主体のボイラーの前記過熱器で主蒸気にして、
この主蒸気を前記高圧蒸気タービンに一系統で供給した後、当該高圧蒸気タービンからの低温再熱蒸気を一系統で再熱器主体のボイラーの前記再熱器に送って、
当該再熱器からの高温再熱蒸気を前記中圧蒸気タービンに一系統で供給し、
過熱器主体のボイラー独自のコンプレッサーによって空気流量を制御すると共に、過熱器主体のボイラーの層高を制御することによって、負荷を維持する一方、
再熱器主体のボイラー独自のコンプレッサーによって空気流量を制御すると共に、再熱器主体のボイラーの層高を制御することによって、高温再熱蒸気温度を一定に維持し、
さらに、過熱器主体のボイラー及び再熱器主体のボイラーのそれぞれの蒸発器への給水量の配分を、各ボイラーの層高に応じて制御することにより、総合負荷を維持するようにしたことを特徴とするモジュール連合方式加圧流動床複合発電装置の制御方法。
【発明の詳細な説明】
【０００１】
【産業上の利用分野】
本発明は、モジュール連合方式加圧流動床（流動層）複合発電装置及びその制御方法に関し、詳しくは加圧流動床ボイラー二缶と、ガスタービン二基と、再熱式蒸気タービン一基とを備えた発電ユニット一式からなるモジュール連合方式加圧流動床複合発電装置及びその制御方法に関する。
【０００２】
【従来の技術】
従来、加圧流動床燃焼（以下、ＰＦＢＣと称す）を用いたＰＦＢＣボイラー一缶と再熱式蒸気タービン一基とを備えるいわゆる一缶一軸方式のＰＦＢＣ複合発電装置は、次のようなものであった。
図２は従来の一缶一軸方式のＰＦＢＣ複合発電装置を示す系統図である。
【０００３】
図２に示すように、従来の一缶一軸方式のＰＦＢＣ複合発電装置は、ＰＦＢＣボイラー（以下、単にボイラーという）５０と、再熱式蒸気タービン５２と、復水器５４とから主になる。
【０００４】
ボイラー５０は、圧力容器５６内に収容されるものであって、蒸発器５０Ｅと過熱器５０Ｓと再熱器５０Ｒとを有する。また、このボイラー５０には、ボイラー５０内に空気を導入するための一基のガスタービン５８及びコンプレッサー６０が対応している。
また、再熱式蒸気タービン５２は、高圧蒸気タービン５２Ｈと中圧蒸気タービン５２Ｉと低圧蒸気タービン５２Ｌとを備える。
【０００５】
そして、この一缶一軸方式のＰＦＢＣ複合発電装置においては、低圧ヒーター６２Ｌ、脱気器６４、給水ポンプ６６及び高圧ヒーター６２Ｈが介在された給水系６８によって、復水器５４からボイラー５０の蒸発器５０Ｅに給水され、この蒸発器５０Ｅで発生した蒸気７０が蒸気系７２によって過熱器５０Ｓに送られ主蒸気７４になり、この主蒸気７４が主蒸気系７６を介して高圧蒸気タービン５２Ｈに供給された後、この高圧蒸気タービン５２Ｈからの低温再熱蒸気７８が低温再熱蒸気系８０で再熱器５０Ｒに送られて高温再熱蒸気８２にされ、そして、この高温再熱蒸気８２が高温再熱蒸気系８４を介して中圧蒸気タービン５２Ｉに供給される。
【０００６】
なお、一般に、ボイラー５０の制御は、流動層高変化方式を基本としている。すなわち、負荷と層高とを対比させて、高負荷時には層内伝熱面積を増やすべく高層高とし、低負荷時には伝熱面積の一部を層外に露出させるべく低層高とする。一方、流動層５０Ｆの温度を維持するように燃料を供給する。また、流動層５０Ｆ内には、蒸発器５０Ｅ、過熱器５０Ｓ及び再熱器５０Ｒが混在しているため、再熱蒸気温度の制御は、単独ループで構成され、注水減温方式としている。
【０００７】
ところで、このボイラー５０は、加圧下での燃料の燃焼と伝熱を意図して用いられるものであるため、圧力容器５６を含めて全体がコンパクトに構成されるいわゆるモジュール方式を採用している。すなわち、ボイラー５０の製作は圧力容器５６を含めて工場製作を主体とされ、ボイラー５０のほぼ完成品を製作工場から現地に輸送して据え付けることにより、現地工事の大幅な節減を図っている。
【０００８】
しかしながら、発電ユニット容量の大型化に伴い、圧力容器５６の寸法及び重量が過大となるため、輸送あるいは据え付け等が困難になり、現地での組み立て作業が増大してしまう。このため、モジュール方式の長所が確保しにくい。
【０００９】
そこで、この発電ユニット容量の大型化への対応策として、ボイラー５０及び圧力容器５６のそれぞれを二分割することが考えられる。
ここで、図３は二缶一軸方式のＰＦＢＣ複合発電装置を示す系統図である。
【００１０】
図３に示すように、この二缶一軸方式のＰＦＢＣ複合発電装置は、二つの圧力容器５６ａ、５６ｂのそれぞれに一缶ずつ収容された計二缶のボイラー５０ａ、５０ｂを有するものであって、一方のボイラー５０ａには、蒸発器５０ａＥ、過熱器５０ａＳ及び再熱器５０ａＲが備えられて、他方のボイラー５０ｂには、蒸発器５０ｂＥ、過熱器５０ｂＳ及び再熱器５０ｂＲが備えられているものである。
【００１１】
また、二缶のボイラー５０ａ、５０ｂのそれぞれには、ガスタービン５８ａ、５８ｂ及びコンプレッサー６０ａ、６０ｂが対応している。
【００１２】
そして、この二缶一軸方式のＰＦＢＣ複合発電装置においては、まず、低圧ヒーター６２ａＬ、６２ｂＬ、脱気器６４、給水ポンプ６６及び高圧ヒーター６２ａＨ、６２ｂＨが介在された給水系６８によって復水器５４から各ボイラー５０ａ、５０ｂに給水が行われる。この際、給水系６８を給水系６８ａと給水系６８ｂとに分割して、各ボイラー５０ａ、５０ｂに給水を行う。
【００１３】
また、各ボイラー５０ａ、５０ｂのそれぞれには独自の蒸気系７２ａ、７２ｂ、主蒸気系７６ａ、７６ｂが配設されていて、主蒸気系７６ａと主蒸気系７６ｂは合流して主蒸気系７６となり、主蒸気７４ａと主蒸気７４ｂとからなる主蒸気７４を主蒸気系７６を介して高圧蒸気タービン５２Ｈに供給する。
【００１４】
また、低温再熱蒸気７８は低温再熱蒸気７８ａと低温再熱蒸気７８ｂとの二つに分岐されて、各ボイラー５０ａ、５０ｂのそれぞれの再熱器５０ａＲ、５０ｂＲに流入する。この際、低温再熱蒸気系８０は低温再熱蒸気系８０ａと低温再熱蒸気系８０ｂとの二つに分岐されている。
【００１５】
また、再熱器５０ａＲ、５０ｂＲのそれぞれからの高温再熱蒸気８２ａ、８２ｂは合流して高温再熱蒸気８２となって、中圧蒸気タービン５２Ｉに供給される。この際、高温再熱蒸気系８４ａと高温再熱蒸気系８４ｂとは合流して高温再熱蒸気系８４となっている。
よって、この二缶一軸方式のＰＦＢＣ複合発電装置によれば、ボイラー及び圧力容器のそれぞれを二分割することによって、モジュール方式の長所が確保され得る。
【００１６】
【発明が解決しようとする課題】
しかしながら、前記二缶一軸方式のＰＦＢＣ複合発電装置にあっては、二缶のボイラー５０ａ、５０ｂへの均等負荷配分の制御あるいは高温高圧の主蒸気７４ａ、７４ｂの合流部へのハード上の対応を要するため、装置が複雑になる恐れがある。
【００１７】
また、二缶のボイラー５０ａ、５０ｂは、それぞれ同一運転条件で運転されるのが望ましいため、再熱系統において、二缶のボイラー５０ａ、５０ｂのそれぞれの再熱器５０ａＲ、５０ｂＲに低温再熱蒸気７８を流入させる際に、低温再熱蒸気７８を低温再熱蒸気７８ａと低温再熱蒸気７８ｂとに均等に配分する必要がある。そのため、低温再熱蒸気系８０ａ及び低温再熱蒸気系８０ｂのそれぞれに、流量調整装置８６ａ、８６ｂを備える必要がある。この流量調整装置８６ａ、８６ｂは、それぞれ、流量計測装置（図示を省略）及び流量制御弁等から構成されるものであって、流量制御の際に、当該流量調整装置８６ａ、８６ｂは圧力損失を伴う恐れがあり、この圧力損失がプラントとしての熱効率の低下をもたらす恐れがある。さらに、前記流量制御弁は大口径であるため、ハード構成上難点がある。
【００１８】
また、前記一缶一軸方式のＰＦＢＣ複合発電装置と同様に、再熱蒸気温度の制御に注水減温方式を採用しているため、減温注水によってもプラントの熱効率の低下をもたらす恐れがある。
【００１９】
なお、前記二缶一軸方式のＰＦＢＣ複合発電装置では、二缶のボイラー５０ａ、５０ｂに対して、それぞれ独自のガスタービン５８ａ、５８ｂ及びコンプレッサー６０ａ、６０ｂが対応しているが、これに対し、仮にこの装置において、二缶のボイラー５０ａ、５０ｂに共通一基のガスタービン及びコンプレッサーで、二缶のボイラー５０ａ、５０ｂを制御する場合、層高の低い、ボイラー５０ａあるいはボイラー５０ｂに過剰の空気が配分されるのを回避するために、空気コントロールバルブ等を用いる必要がある。この場合は、さらに装置が複雑になり、圧力損失が増大して、プラント効率の低下をまねく恐れがある。
【００２０】
したがって、本発明の目的は、ＰＦＢＣボイラーのモジュール化の利点を確保しつつ、主蒸気及び再熱蒸気のそれぞれの系統を簡素化すると共にプラントの熱効率の低下を回避し、かつ、再熱蒸気温度の制御を合理化して総合負荷をも同時に制御するモジュール連合方式加圧流動床複合発電装置及びその制御方法を提供することにある。
【００２１】
【課題を解決するための手段】
本発明は、前記課題を解決するため、次の構成を有する。
すなわち、請求項１の発明は、二つの圧力容器のそれぞれに一缶ずつ収容された計二缶の加圧流動床ボイラーと、当該二缶の加圧流動床ボイラーのそれぞれに対応した計二基のガスタービン及びコンプレッサーと、高圧蒸気タービン及び中圧蒸気タービンを有する一基の再熱式蒸気タービンとを備えるモジュール方式加圧流動床複合発電装置において、過熱器及び蒸発器を有する一缶の過熱器主体のボイラーと、再熱器及び蒸発器を有する一缶の再熱器主体のボイラーと、当該過熱器主体のボイラー及び再熱器主体のボイラーのそれぞれの前記蒸発器と過熱器主体のボイラーの前記過熱器とを連通する蒸気系と、前記過熱器からの主蒸気を前記高圧蒸気タービンに供給させる一系統の主蒸気系と、当該高圧蒸気タービンからの低温再熱蒸気を再熱器主体のボイラーの前記再熱器に送るための一系統の低温再熱蒸気系と、前記再熱器からの高温再熱蒸気を前記中圧蒸気タービンに供給させる一系統の高温再熱蒸気系とを有することを特徴とするモジュール連合方式加圧流動床複合発電装置である。
【００２２】
また、請求項２の発明は、二つの圧力容器のそれぞれに一缶ずつ収容された計二缶の加圧流動床ボイラーと、当該二缶の加圧流動床ボイラーのそれぞれに対応した計二基のガスタービン及びコンプレッサーと、高圧蒸気タービン及び中圧蒸気タービンを有する一基の再熱式蒸気タービンとを用いて発電を行う、モジュール方式加圧流動床複合発電装置の制御方法において、前記二缶の加圧流動床ボイラーのうち、一缶は過熱器及び蒸発器を有する過熱器主体のボイラーとし、別の一缶は再熱器及び蒸発器を有する再熱器主体のボイラーとして、当該過熱器主体のボイラー及び再熱器主体のボイラーのそれぞれの前記蒸発器で発生した蒸気を、過熱器主体のボイラーの前記過熱器で主蒸気にして、この主蒸気を前記高圧蒸気タービンに一系統で供給した後、当該高圧蒸気タービンからの低温再熱蒸気を一系統で再熱器主体のボイラーの前記再熱器に送って、当該再熱器からの高温再熱蒸気を前記中圧蒸気タービンに一系統で供給し、過熱器主体のボイラー独自のコンプレッサーによって空気流量を制御すると共に、過熱器主体のボイラーの層高を制御することによって、負荷を維持する一方、再熱器主体のボイラー独自のコンプレッサーによって空気流量を制御すると共に、再熱器主体のボイラーの層高を制御することによって、高温再熱蒸気温度を一定に維持し、さらに、過熱器主体のボイラー及び再熱器主体のボイラーのそれぞれの蒸発器への給水量の配分を、各ボイラーの層高に応じて制御することにより、総合負荷を維持するようにしたことを特徴とするモジュール連合方式加圧流動床複合発電装置の制御方法である。
【００２３】
【作用】
本発明によれば、モジュール化が困難な一缶の加圧流動床ボイラーを分割して二缶の加圧流動床ボイラーにして、圧力容器を含めて工場製作及び同試験が可能となり、現地工事が大幅に節減されると共に、製品としてのボイラーの品質を向上させることができる。
【００２４】
また、前記二缶の加圧流動床ボイラーが、過熱器及び蒸発器を有する一缶の過熱器主体のボイラーと、再熱器及び蒸発器を有する一缶の再熱器主体のボイラーとからなると共に、過熱器からの主蒸気を高圧蒸気タービンに供給させる主蒸気系が一系統であるため、ボイラー二缶分の主蒸気を合流させる必要がなく、弁類及び管系等が大幅に簡素化されると共に、耐熱設計上不便な配管合流機構を不要にすることができる。
【００２５】
また、高圧蒸気タービンからの低温再熱蒸気を再熱器主体のボイラーの再熱器に送るための低温再熱蒸気系が一系統でありかつ再熱器からの高温再熱蒸気を中圧蒸気タービンに供給させる高温再熱蒸気系も一系統であるため、低温再熱蒸気をボイラー二缶分に分岐させる必要がなく、耐熱設計上不便な配管合流機構や低温再熱蒸気系の流量調整装置等を不要にすることができる。
よって、流量調整装置等による圧力損失に伴うプラントの熱効率の低下を回避することができる。
【００２６】
また、再熱器主体のボイラーの層高を変化させて、高温再熱蒸気温度を負荷の広範囲に対して一定に維持することができ、さらに、過熱器主体のボイラー及び再熱器主体のボイラーのそれぞれの層高に応じた給水量の配分を行うことによって、総合負荷も同時に制御することができる。
【００２７】
また、主蒸気系及び高温再熱蒸気系をそれぞれ一系統としたことで、二缶独立層高制御方式にもかかわらず、蒸気側の変圧運転を可能にする。
【００２８】
また、過熱器主体のボイラー及び再熱器主体のボイラーのそれぞれが、ガスタービンとコンプレッサーとを独自に備えることによって、各ボイラーの層高変化に対する燃焼用空気制御を独立して行え、応答性及び燃焼性を向上させると共に窒素酸化物を抑制することができる。
【００２９】
【実施例】
以下、図面を参照して、本発明のモジュール連合方式ＰＦＢＣ複合発電装置及びその制御方法の実施例を説明する。
なお、本実施例は、本発明の好適な実施の態様であり、本発明はこの実施例の技術的範囲に限定されない。
図１は、本発明のモジュール連合方式ＰＦＢＣ複合発電装置の一実施例を示す系統図である。
【００３０】
このモジュール連合方式ＰＦＢＣ複合発電装置の実施例は、図１に示すように、二つの圧力容器８ａ、８ｂのそれぞれに一缶ずつ収容された計二缶のボイラー２ａ、２ｂと、高圧蒸気タービン４Ｈ及び中圧蒸気タービン４Ｉを有する一基の再熱式蒸気タービン４とを備えるものである。なお、再熱式蒸気タービン４は、低圧蒸気タービン４Ｌをも備えている。
【００３１】
二缶のボイラー２ａ、２ｂは、過熱器２ａＳ及び蒸発器２ａＥを有する一缶の過熱器主体のボイラー２ａと、再熱器２ｂＲ及び蒸発器２ｂＥを有する一缶の再熱器主体のボイラー２ｂとからなる。
【００３２】
また、このモジュール連合方式ＰＦＢＣ複合発電装置には、復水器６と、当該復水器６と各ボイラー２ａ、２ｂのそれぞれの蒸発器２ａＥ、２ｂＥとを連通する互いに独立した給水系２０ａ、２０ｂが備えられている。
【００３３】
この給水系２０ａには低圧ヒーター１４ａＬ、脱気器１６ａ、給水ポンプ１８ａ及び高圧ヒーター１４ａＨが介在され、給水系２０ｂには低圧ヒーター１４ｂＬ、脱気器１６ｂ、給水ポンプ１８ｂ及び高圧ヒーター１４ｂＨが介在されている。
【００３４】
また、このモジュール連合方式ＰＦＢＣ複合発電装置は、過熱器主体のボイラー２ａ及び再熱器主体のボイラー２ｂのそれぞれの前記蒸発器２ａＥ、２ｂＥと過熱器主体のボイラー２ａの前記過熱器２ａＳとを連通する蒸気系２４と、前記過熱器２ａＳからの主蒸気２６を前記高圧蒸気タービン４Ｈに供給させる一系統の主蒸気系２８と、当該高圧蒸気タービン４Ｈからの低温再熱蒸気３０を再熱器主体のボイラー２ｂの前記再熱器２ｂＲに送るための一系統の低温再熱蒸気系３２と、前記再熱器２ｂＲからの高温再熱蒸気３４を前記中圧蒸気タービン４Ｉに供給させる一系統の高温再熱蒸気系３６とを有する。
【００３５】
以上のような構成のもと、このモジュール連合方式ＰＦＢＣ複合発電装置の制御方法は次のように行われる。
復水器６から給水系２０ａを介して過熱器主体のボイラー２ａの蒸発器２ａＥへ給水を行うと共に、給水系２０ａとは別系統の給水系２０ｂを介して、復水器６から再熱器主体のボイラー２ｂの蒸発器２ｂＥへの給水をも行う。
【００３６】
過熱器主体のボイラー２ａ及び再熱器主体のボイラー２ｂのそれぞれの前記蒸発器２ａＥ、２ｂＥで発生した蒸気２２ａ、２２ｂを合流させて蒸気２２を得る。この際、蒸気系２４ａと蒸気系２４ｂを合流させて蒸気系２４としている。
この蒸気２２を過熱器主体のボイラー２ａの前記過熱器２ａＳで主蒸気２６にして、この主蒸気２６を前記高圧蒸気タービン４Ｈに一系統で供給した後、当該高圧蒸気タービン４Ｈからの低温再熱蒸気３０を一系統で再熱器主体のボイラー２ｂの前記再熱器２ｂＲに送る。
そして、当該再熱器２ｂＲからの高温再熱蒸気３４を前記中圧蒸気タービン４Ｉに一系統で供給する。
【００３７】
さらに、このモジュール連合方式ＰＦＢＣ複合発電装置の制御方法において、次のような各ボイラーの層高制御を行う。
過熱器主体のボイラー２ａに独自のガスタービン１０ａとコンプレッサー１２ａとを対応させ、再熱器主体のボイラー２ｂにも独自のガスタービン１０ｂとコンプレッサー１２ｂとを対応させる。
そして、過熱器主体のボイラー２ａ独自のコンプレッサー１２ａによって空気流量を制御すると共に、過熱器主体のボイラー２ａの層高３８ａを制御することによって、負荷を維持するものである。
【００３８】
また、再熱器主体のボイラー２ｂ独自のコンプレッサー１２ｂによって空気流量を制御すると共に、再熱器主体のボイラー２ｂの層高３８ｂを制御することによって、高温再熱蒸気温度を一定に維持するものである。すなわち、高温再熱蒸気温度と層高３８ｂを対比させて、高温再熱蒸気温度の上昇時には、流動層２ｂＦ内の再熱器２ｂＲの伝熱面積を減らすように再熱器２ｂＲの一部を露出させて、層高３８ｂを低くし、高温再熱蒸気温度の下降時には、流動層２ｂＦ内の再熱器２ｂＲの伝熱面積を増加させるように層高３８ｂを高くする。一方、流動層２ｂＦの温度が維持されるように燃料の供給を調整すれば、燃料供給の調整と、層高３８ｂの制御との二操作によって、負荷に対応させると共に高温再熱蒸気温度を維持する。
【００３９】
さらに、過熱器主体のボイラー２ａ及び再熱器主体のボイラー２ｂのそれぞれの蒸発器２ａＥ、２ｂＥへの給水量の配分を、各ボイラーの層高３８ａ、３８ｂに応じて制御することにより、総合負荷を維持するものである。
【００４０】
すなわち、このモジュール連合方式ＰＦＢＣ複合発電装置の制御方法の実施例においては、過熱器主体のボイラー２ａ及び再熱器主体のボイラー２ｂのそれぞれに適した各制御方法を採用すると共に、二缶のボイラー２ａ、２ｂを連合させて、二缶のボイラー２ａ、２ｂ全体をあたかも一缶のボイラーとして機能させる。
【００４１】
よって、以上説明したモジュール連合方式ＰＦＢＣ複合発電装置及びその制御方法の実施例によれば、二缶のボイラー２ａ、２ｂが、過熱器２ａＳ及び蒸発器２ａＥを有する一缶の過熱器主体のボイラー２ａと、再熱器２ｂＲ及び蒸発器２ｂＥを有する一缶の再熱器主体のボイラー２ｂとからなるため、圧力容器８ａ、８ｂを含めての工場製作等とが可能となり、現地工事が大幅に節減されると共に、製品としてのボイラー２ａ、２ｂの品質を向上させることができる。
【００４２】
また、過熱器２ａＳからの主蒸気２６を高圧蒸気タービン４Ｈに供給させる主蒸気系２８が一系統であるため、弁類及び管系等が大幅に簡素化されると共に、耐熱設計上不便な配管合流機構を不要にすることができる。
【００４３】
また、高圧蒸気タービン４Ｈからの低温再熱蒸気３０を再熱器２ｂＲに送るための低温再熱蒸気系３２が一系統でありかつ再熱器２ｂＲからの高温再熱蒸気３４を中圧蒸気タービン４Ｉに供給させる高温再熱蒸気系３６も一系統であるため、耐熱設計上不便な配管合流機構や低温再熱蒸気系３２の流量調整装置等を不要にすることができる。
よって、流量調整装置等による圧力損失に伴うプラントの熱効率の低下を回避することができる。
【００４４】
また、再熱器主体のボイラー２ｂの層高３８ｂを変化させて、高温再熱蒸気温度を負荷の広範囲に対して一定に維持することができ、さらに、過熱器主体のボイラー２ａ及び再熱器主体のボイラー２ｂのそれぞれの層高３８ａ、３８ｂに応じた給水量の配分を行うことによって、総合負荷も同時に制御することができる。
【００４５】
また、主蒸気系２８及び高温再熱蒸気系３６をそれぞれ一系統としたことで、二缶独立層高制御方式にもかかわらず、蒸気側の変圧運転を可能にする。
【００４６】
また、過熱器主体のボイラー２ａ及び再熱器主体のボイラー２ｂのそれぞれが、ガスタービン１０ａ、１０ｂとコンプレッサー１２ａ、１２ｂとを独自に備えることによって、各ボイラー２ａ、２ｂの層高３８ａ、３８ｂの変化に対する燃焼用空気制御を独立して行え、応答性及び燃焼性を向上させると共に窒素酸化物を抑制することができる。
【００４７】
したがって、このモジュール連合方式ＰＦＢＣ複合発電装置及びその制御方法の実施例によれば、各ボイラー２ａ、２ｂのモジュール化の利点を確保しつつ、主蒸気及び再熱蒸気のそれぞれの系統を簡素化すると共にプラントの熱効率の低下を回避し、かつ、再熱蒸気温度の制御を合理化して総合負荷をも同時に制御することができる。
【００４８】
【発明の効果】
以上の説明のように、本発明によれば、モジュール方式加圧流動床複合発電装置及びその制御方法において、モジュール化の利点を確保して製品としてのボイラーの品質を向上させることができると共に、主蒸気及び再熱蒸気のそれぞれの系統を簡素化することができる。また、プラントの熱効率の低下を回避することができる。
さらに、再熱蒸気温度の制御を合理化して総合負荷をも同時に制御することができる。
【図面の簡単な説明】
【図１】本発明に係る二缶一軸連合方式のＰＦＢＣ複合発電装置の実施例を示す系統図である。
【図２】従来の一缶一軸方式のＰＦＢＣ複合発電装置を示す系統図である。
【図３】二缶一軸方式のＰＦＢＣ複合発電装置を示す系統図である。
【符号の説明】
２ａ    過熱器主体のボイラー
２ａＥ  蒸発器
２ａＳ  過熱器
２ｂ    再熱器主体のボイラー
２ｂＥ  蒸発器
２ｂＲ  再熱器
４      再熱式蒸気タービン
４Ｈ    高圧蒸気タービン
４Ｉ    中圧蒸気タービン
１０ａ  ガスタービン
１０ｂ  ガスタービン
１２ａ  コンプレッサー
１２ｂ  コンプレッサー
２２    蒸気
２４    蒸気系
２６    主蒸気
２８    主蒸気系
３０    低温再熱蒸気
３２    低温再熱蒸気系
３４    高温再熱蒸気
３６    高温再熱蒸気系
３８ａ  過熱器主体のボイラーの層高
３８ｂ  再熱器主体のボイラーの層高
【図１】
0003608811.tif 000002
【図２】
0003608811.tif 000003
【図３】
0003608811.tif 000004